(57)【特許請求の範囲】
【請求項１】
第１および第２の対物光学系と、正立光学系および接眼光学系をそれぞれ一体的に保持した第１および第２の接眼ユニットとを有する双眼鏡であって、
前記第１の接眼ユニットを保持する第１保持部分と前記第２の接眼ユニットを保持する第２保持部分とを有し、前記第１および第２の対物光学系の光軸を含む平面に直交する方向を上下方向とするときに該第１および第２保持部分が前記上下方向の一部で連結された保持部材と、
前記第１保持部分が前記第２保持部分に対して光軸方向に変位するように前記保持部材を変形させ、前記第１の接眼ユニットの光軸を前記第２の接眼ユニットの光軸に対して傾き移動させる調整機構とを有することを特徴とする双眼鏡。
【請求項２】
前記第１保持部分を前記第２保持部分に対して光軸方向に変位させる偏芯コロ機構を有することを特徴とする請求項１に記載の双眼鏡。
【請求項３】
前記偏芯コロ機構は、該双眼鏡の下方から調整操作可能であることを特徴とする請求項２に記載の双眼鏡。
【発明の詳細な説明】
【０００１】
【発明の属する技術分野】
本発明は、双眼鏡に関し、さらに詳しくは左右の光軸調整を可能とした双眼鏡に関するものである。
【０００２】
【従来の技術】
双眼鏡には、左右一対の対物光学系と、正立プリズムやミラーからなる正立光学系および接眼光学系を一体的に保持した左右一対の接眼ユニットとが備えられている。そして、左右一対の対物光学系の全群同士或いは一部の群同士が一体的に保持されていたり、双眼鏡使用時に対物光学系の全群同士或いは一部の群同士が間隔を変えずに連動するように保持されていたりする双眼鏡などにおける左右の光軸調整方法としては、
▲１▼  特開平８−２１１３０３号公報にて提案されているように、左右の対物レンズの全群が固定部に一体的に保持され、正立光学系と接眼光学系とが合せて接眼ユニットとして構成されている双眼鏡において、対物光学系を光軸直交方向に移動調整して固定する方法。
【０００３】
▲２▼  特開平１０−３１９３２５号公報や特開２０００−５６３５１号公報にて提案されているように、左右の対物光学系の全群が可動部に一体的に保持されており、正立光学系と接眼光学系とが合せて接眼ユニットとして構成されている双眼鏡において、対物光学系の一方を固定し、他方を光軸直交方向に移動調整して固定する方法。
【０００４】
▲３▼  特開平１０−２１３７３３号公報にて提案されているように、左右の対物レンズが、目幅調整で間隔が変わらないように保持されているものの、互いに回転するように構成されており、左右それぞれが望遠鏡として構成されている双眼鏡において、目幅調整のために対物光学系の光軸を中心に各望遠鏡部全体を回転させ、このための回転軸の方向を調整移動して望遠鏡部全体を傾ける方法。
【０００５】
▲４▼  特開平９−２８１４１１号公報にて提案されているように、目幅調整時（双眼鏡使用時）に対物光学系の光軸間隔が変わる、いわゆる「薄型の双眼鏡」であって、正立光学系と接眼光学系とが一体化されている双眼鏡において、対物光学系と接眼光学系のうち一方を上下に、他方を左右に独立に移動させて調整する方法。
【０００６】
▲５▼  特開平９−３０４７０４号公報にて提案されているように、「薄型の双眼鏡」において、左右の正立光学系ユニットのうち一方を上下に、他方を左右に独立に移動させて調整する方法。
【０００７】
▲６▼  「中折れ式双眼鏡」などで古くから実施されている光軸調整方法として、対物レンズの鏡枠の外形をレンズの光軸に対し偏芯させ、この外側に鏡枠とほぼ等しい偏芯量を有するスペーサを嵌合配置し、上記鏡枠をスペーサに対する回転位相で光軸の偏芯量を、またスペーサを固定部（受け部）に対する回転位相で偏芯方向の光軸を調整設定する方法。
等が知られている。
【０００８】
なお、これら従来の光軸調整方法では、対物光学系の光軸と接眼光学系の光軸の平行度における関係が、調整作業後にも調整前と同じ状態を維持できるようになっている。
【０００９】
【発明が解決しようとする課題】
しかしながら、上述したような従来の光軸調整方法のうち、▲１▼，▲２▼においては、対物光学系を、調整時や調整後に固定するためには光軸の付近で作業をする必要があり、作業時や調整の確認の際に光路を横切らないように注意する必要があり、作業を行いにくいという問題ある。
【００１０】
また、▲２▼においては、調整する対物光学系自体が焦点調整で移動する対物台に固定されていたり、像振れ補正機構の一部である対物レンズホルダに固定されていたりするために、調整作業や調整後の固定作業のためには工具などを用いて対物レンズ固定部をしっかりと保持しないと、調整作業や固定作業ができず、手間がかかるという問題がある。
【００１１】
また、▲３▼においては、使用時（目幅調整時）に、対物光学系付近の第１鏡筒が回転するために、双眼鏡の前半部分に像振れ補正や自動焦点調整等の付加機能を持たせるための機構を配置することが難しくなるという問題がある。
【００１２】
さらに、▲４▼，▲５▼のいわゆる「薄型の双眼鏡」や▲６▼のいわゆる「中折れ式双眼鏡」では、ともに対物光学系が左右一体化されておらず、目幅調整時に対物光学系が左右に移動してしまうために、従来の双眼鏡の機能としては問題ないが、特に付加機能のための機構を追加しようとすると、スペース上或いは機能上でそれぞれ大きな制約があるという問題がある。
【００１３】
そこで、本発明では、従来の双眼鏡としての主たる機能に加えて、双眼鏡の観察性能や利用範囲を拡大するための付加機能を追加するために障害とならずに、左右の光軸調整を容易に行えるようにした双眼鏡を提供することを目的としている。
【００１４】
【課題を解決するための手段】
上記の目的を達成するために、本発明では、第１および第２の対物光学系と、正立光学系および接眼光学系をそれぞれ一体的に保持した第１および第２の接眼ユニットとを有する双眼鏡において、前記第１の接眼ユニットを保持する第１保持部分と前記第２の接眼ユニットを保持する第２保持部分とを有し、前記第１および第２の対物光学系の光軸を含む平面に直交する方向を上下方向とするときに該第１および第２保持部分が上下方向の一部で連結された保持部材と、前記第１保持部分が前記第２保持部分に対して光軸方向に変位するように前記保持部材を変形させ、前記第１の接眼ユニットの光軸を前記第２の接眼ユニットの光軸に対して傾き移動させる調整機構とを有している。
【００１６】
このように、一方の接眼ユニットの他方の接眼ユニットに対する光軸調節のための傾き移動を可能とすることにより、対物光学系側に付加機能追加のための機構の配置に支障が生じたり、目幅調整機構を損なったりすることなく、左右の光軸調整を容易に行うことが可能となる。
【００１７】
【発明の実施の形態】
以下、本発明の実施形態について説明する。第１実施形態は、像振れ補正のためのいわゆるバリアングルプリズム機構を搭載した防振双眼鏡の実施形態であり、左右の対物光学系が一体的に保持されているものである。
【００１８】
また、第２実施形態は、像振れ補正のための回動レンズ機構を搭載した防振双眼鏡の実施形態であり、対物光学系の一部のレンズが連動機構によって左右同時に同量だけ回動駆動されるようになっている。さらに、第３実施形態では、第１および第２実施形態の双眼鏡とは異なる光軸調整機構を備えた双眼鏡について説明する。
【００１９】
（第１実施形態）
図１は本発明の第１実施形態である双眼鏡を上方から見た断面図、図２は双眼鏡を側方から見た縦断面図、図３は図２のＡ−Ａ断面図および調整機構を下方から見た図、図４は上記Ａ−Ａ断面の要部を拡大した図である。
【００２０】
双眼鏡の光学系は、左右一対の対物レンズ１Ｌ，１Ｒ、左右一対のポロＩＩ型正立プリズム２Ｌ，２Ｒ、左右一対の接眼レンズ３Ｌ，３Ｒおよび液体を封入したバリアングルプリズム４Ｌ，４Ｒにより構成されている。
【００２１】
対物レンズ１Ｌ，１Ｒは、それぞれ左右に一対の平行な光軸０１Ｌ，０１Ｒを有し、光軸０１Ｌ，０１Ｒはそれぞれバリアングルプリズム４Ｌ，４Ｒの中心を通過し、それぞれ左右一対の正立プリズム２Ｌ，２Ｒの入射面に至る。
【００２２】
この左右一対の正立プリズム２Ｌ，２Ｒの各射出面には、対物レンズの光軸０１Ｌ，０１Ｒに平行でかつ同軸でない左右一対の接眼レンズ３Ｌ，３Ｒの光軸０２Ｌ，０２Ｒが連なる。
【００２３】
双眼鏡の基体（保持部材）１０は丈夫な金属板で作られており、左右の光軸０１Ｌ，０１Ｒを含む平面に平行な水平部１１と、この水平部１１の後端から下方に向かって直角に屈曲し、接眼ユニット１２Ｌ，１２Ｒを保持するための保持部１３とから構成されている。また、水平部１１には、摺動を目的とした４個所のエンボス１４が突出形成され、保持部１３にはそれぞれ光軸０１Ｌ，０１Ｒを中心とした摺動孔部１５Ｌ，１５Ｒが形成されている。
【００２４】
なお、基体１０の後端における左右方向中央には、上方に延びる突出部１６が設けられており、この突出部１６にはフォーカスネジ１７を定位置で回転自在に保持する回転保持穴部１８が形成されている。
【００２５】
また、対物台１９も丈夫な金属板で作られ、基体１０の４個所のエンボス１４に対応して摺動する４個所の摺動部２０を含む水平部２１と、この水平部２１の前端から直角に下方に屈曲し、かつ光軸０１Ｌ，０１Ｒを中心とする孔部２２Ｌ，２２Ｒを有する保持部２３Ｌ，２３Ｒとから構成されている。
【００２６】
水平部２１の後端における左右方向中央部には、上方に延びる突出部２４が設けられており、この突出部２４には、基体１０の突出部１６に形成された回転保持孔部１８に対応して、フォーカスネジ１７と螺合する雌ねじ２５が形成されている。
【００２７】
対物台１９の水平部２１には、光軸０１Ｌ，０１Ｒの方向にガイド孔部２６，２７と、これより幅のやや大きいガイド逃げ孔部２８，２９とが形成されている。そして、ガイド孔部２６，２７に対しては嵌合し、ガイド逃げ孔部２８，２９に対してはやや逃げるように寸法設定された４個の同形状のガイド部材３０と、対物台１９の水平部２１を基体１０の水平部１１に圧接するためにガイド孔部２６，２７およびガイド逃げ孔部２８，２９の周囲に作用する４個のガイドばね３１とが、基体１０の水平部１１にビスにより共締されている。
【００２８】
対物台１９は、ガイド孔部２６，２７に嵌合する２個のガイド部材３０により、基体１０を基準として光軸方向に移動可能にガイドされ、摺動部２０同士は４個のガイドばね３１の付勢力によって密着状態で保持される。
【００２９】
また、フォーカスネジ１７は基体１０の突出部１６に形成された回転保持孔部１８に回転自在に保持され、その後端部にはフォーカス摘み３２がビス止めされて光軸方向の抜け止めとされている。このフォーカスネジ１７は、基体１０に対して定位置で回転し、かつフォーカスネジ１７のネジ部は対物台１９の突出部２４の雌ねじ２５と螺合しているので、フォーカス摘み３２を回転させることによって、対物台１９全体を基体１０に対して圧接した状態で光軸方向に移動させることができる。
【００３０】
左右一対の接眼ユニット１２Ｌ，１２Ｒは互いに対称形状となるよう構成されており、その内部には、接眼レンズ３Ｌ，３Ｒと、光軸０１Ｌ，０１Ｒに対応する入射面および接眼レンズ３Ｌ，３Ｒの光軸０２Ｌ，０２Ｒに対応する射出面を有するポロＩＩ型の正立プリズム２Ｌ，２Ｒとが保持されている。また、接眼ユニット１２Ｌ，１２Ｒの後端部には一対の眼当接眼ゴム３３Ｌ，３３Ｒが取り付けられている。
【００３１】
接眼ユニット１２Ｌ，１２Ｒの前端面には、基体１０の水平部１１に対して直角に屈曲した保持面１３から若干突き出るように、フランジ部３４Ｌ，３４Ｒが設けられている。これらフランジ部３４Ｌ，３４Ｒは、光軸０１Ｌ，０１Ｒのそれぞれを中心とする摺動孔部１５Ｌ，１５Ｒに係合している。
【００３２】
また、接眼ユニット１２Ｌ，１２Ｒには、図３（Ａ）に示すように略対称な形状の左右一対の連動板３５Ｌ，３５Ｒが取り付けられており、連動板３５Ｌ，３５Ｒは内側のギア部３６Ｌ，３６Ｒで互いに噛み合っている。
【００３３】
そして、連動板３５Ｌ，３５Ｒはそれぞれ、４本のビス３７Ｌ，３７Ｒにより、左右一対の接眼ユニット１２Ｌ、１２Ｒの前端面のフランジ部３４Ｌ，３４Ｒにビス止めされており、このビス止め部分の外周部３８Ｌ，３８Ｒは円周方向に延出し、連動板３５Ｌ，３５Ｒがビス止されたときに基体１０の保持部１３にチャージする状態となるように適度に光軸０１Ｌ，０１Ｒの方向に屈曲している。
【００３４】
さて、左右一対の対物鏡筒４０Ｌ，４０Ｒは、左右一対の対物レンズ１Ｌ，１Ｒをそれぞれ後端部付近で保持し、フランジ部４１Ｌ，４１Ｒにおいて対物台１９の光軸０１Ｌに対して直角に屈曲し、光軸０１Ｌを中心とする孔部２２Ｌを有する保持部２３Ｌ，２３Ｒにそれぞれビス止めされている。
【００３５】
ここまでは、双眼鏡の基本部分である、左右一対の対物レンズと、正立プリズムおよび接眼レンズとを一体的に保持した左右一対の接眼ユニットと、これらの位置関係を説明したが、次に、左右一対の接眼ユニットの１２Ｌ，１２Ｒの一方の接眼ユニットを他方の接眼ユニットに対して傾き移動させて光軸調整を行う部分の構成について説明する。
【００３６】
なお、本実施形態では、正立光学系としてプリズムを用いた場合について説明しているが、これに代えてミラーを用いてもよい。
【００３７】
前述したように丈夫な金属板で作られた基体１０における光軸に垂直な保持部１３には、図３（Ａ）に示すように、左右方向中央部の下端から上方に延びる切り込み４２が形成されており、保持部１３における切り込み４２の右側の部分（第１保持部分）には右側の接眼ユニット１２Ｒが、切り込み４２の左側の部分（第２保持部分）には左側の接眼ユニット１２Ｌが保持されている。なお、図３（Ａ）の右側が双眼鏡の左側Ｌに、図３（Ａ）の左側が双眼鏡の右側Ｒを示す。
【００３８】
さらに、保持部１３における切り込み４２の右側の部分と左側の部分のそれぞれの下端には前方に屈曲する曲げ部４３Ｌ，４３Ｒが形成されている。
【００３９】
調整板４４は、上記曲げ部４３Ｌ，４３Ｒの双方に接しており、曲げ部４３Ｌ，４３Ｒを合わせた大きさと略同等の大きさを有する。調整板４４の左側部分における曲げ部４３Ｌに形成されたビス穴部に対応する位置には、固定用のビス４５Ｃ、４５Ｄと係合する穴部４６Ｃ，４６Ｄが形成されている。
【００４０】
また、調整板４４の右側部分における曲げ部４３Ｒに形成されたビス穴部に対応する位置には、光軸調整用の偏芯コロ４７Ａ，４７Ｂの偏芯コロ部に係合するする、左右方向にやや伸びた同形状の長円穴部４６Ａ，４６Ｂが形成されている。
【００４１】
図４に示すように、光軸調整用の偏芯コロ４７Ａ，４７Ｂは偏芯コロ部の長さが調整板４４の板厚より若干短く設定されていると共に、外径部４８Ａ，４８Ｂがやや大きく設定されている。このため、ビス４５Ａ，４５Ｂを締めこむことでそのあご部が調整板４４に引っかかり、これを曲げ部４３Ｒに対して固定することが可能となる。
【００４２】
また、偏芯コロ４７Ａ，４７Ｂは外径部にスリ割部４９Ａ，４９Ｂが設けられており、ビス４５Ａ，４５Ｂを若干緩めつつマイナスドライバーなどによって容易に回転調整可能となっている。
【００４３】
このように構成された調整機構において、まず、固定用のビス４５Ｃ，４５Ｄを締めこんで調整板４４の左側部分を、曲げ部４３Ｌに対して固定（一体化）する。偏芯コロ４７Ａ，４７Ｂは、回転させることにより、この付近において調整板４４に対して（或いは一体化されている左側部分の曲げ部４３Ｌの延長部としての調整板４４に対して）曲げ部４３Ｒを光軸方向に微小に前後させることが出来る。これは、基体１０および保持部１３は丈夫な金属板で作られているが、上記記載の構成により微小に撓ませることが可能だからである。
【００４４】
保持部１３の下端部から中央部の切り込み４２の効果で、例えば、偏芯コロ４７Ａ，４７Ｂを同方向に回転させて曲げ部４３Ｒを調整板４４に対し相対的に前方に微小移動させたときは、保持部１３の右側部分が前方に撓むと同時に若干下に傾く。このため、保持部１３の右側部分に保持されている接眼ユニット１２Ｒは対物レンズ１Ｒの光軸に対してアイカップ３３Ｒが下がる方向に傾く。
【００４５】
一方、調整板４４が曲げ部４３Ｒに対して後方に力を受けるということは、自然状態に対して後方に力を受けることに概ね等しく、調整板４４を固定保持している左側の曲げ部４３Ｌも同方向に、また保持部１３の左側部分も後方に撓むことなり、結局、ここに保持されている接眼ユニット１２Ｌはアイカップ３３Ｌが上がる方向に傾くこととなる。
【００４６】
つまり、偏芯コロ４７Ａ、４７Ｂを同方向に回転させて、曲げ部４３Ｒを調整板４４に対して相対的に前方に微小移動させたときは、接眼ユニット１２Ｌに対して接眼ユニット１２Ｒは相対的にアイカップ３３Ｌが上がる方向に傾くこととなる。
【００４７】
一方、今度は、調整板４４から見て偏芯コロ４７Ａ，４７Ｂが互いに反対方向に動いた場合の動きもこの延長として説明することができる。接眼ユニット１２Ｒは、概ね水平面に対して首を振るような振る舞いをし、接眼ユニット１２Ｌに対して概ね左右方向の動きをする。
【００４８】
結局、偏芯コロと双眼鏡における左右の光軸合わせの関係は、▲１▼偏芯コロ４７Ａ，４７Ｂを互いに同方向に移動するように回転させることで上下方向の光軸合せを、▲２▼偏芯コロ４７Ａ，４７Ｂを互いに異なる方向に移動するように回転させることで、左右方向の光軸合せを実現することが可能となる。
【００４９】
図２に示す上カバー５０と下カバー５１は、光軸０１Ｌ，０１Ｒを含む平面でほぼ全体が上下にかみ合わさるように構成されている。上カバー５０は基体１０、フォーカスネジ１７、対物台１９、左右の対物鏡筒４０、４２などを覆い、内面の天井から図示しない３個所の位置決め部に対して、取付孔部５２，５３，５４を介して基体１０をビス止めしている。
【００５０】
また、下カバー５１は対物鏡筒４０Ｌ，４０Ｒ回り、接眼ユニット１２Ｌ，１２Ｒ回り、フォーカスネジ１７回り以外で、上カバー５０と全周に渡って係合し、取付孔５５Ｌ，５５Ｒの２個所で上カバー５０にビス止めされている。
【００５１】
また、下カバー５１の筒状に伸びた先端部５６Ｌ，５６Ｒと上カバー５０の筒状に伸びた先端部５７Ｌ，５７Ｒは、互いに係合して円筒部を形成し、この円筒部は断面形状が横Ｕ字型のリング状の対物カバー５８Ｌ，５８Ｒに嵌め込まれて、接着などによって固定されている。
【００５２】
さらに、対物鏡筒４０Ｌ，４０Ｒの先端外周部の外周溝に係合するように、防塵シート５９Ｌ，５９Ｒが嵌め込まれ、防塵シート５９Ｌ，５９Ｒの外径と対物カバー５８Ｌ，５８Ｒの内径とが嵌合している。また、対物カバー５８Ｌ，５８Ｒを覆うように、対物カバー５８Ｌ，５８Ｒの先端部に対物ゴム６０Ｌ，６０Ｒが取り付けられている。
【００５３】
また、対物レンズ１Ｌ，１Ｒの奥側には、バリアングルプリズム４Ｌ，４Ｒを内蔵する防振ユニット６１が配置されている。防振ユニット６１には付属する電気回路基板６２が取り付けられている。さらに、対物鏡筒４０Ｌ，４０Ｒの間には２個のバッテリ６３が配置され、上カバー５０の内面にはこれらのバッテリ６３に対応してばね性を備えた２個の電極６４が配置されており、電極６４は図示しないリード線によって電気回路基板６２に接続されている。
【００５４】
そして、バッテリ６３は収納状態で作動するように、２個の電極６４と、下カバー５１に取り付けた蓋６５に固定されている共通電極６６とによって挟持されつつ、双眼鏡内に保持されている。
【００５５】
以上のような構成により、左右一対の接眼ユニット１２Ｌ，１２Ｒは、それぞれ基体１０の水平部１１に対して直角に屈曲した保持部１３に密着した状態で、互いに反対回りに回転運動して、接眼レンズ３Ｌ，３Ｒの光軸０２Ｌ，０２Ｒの間隔を変更することが可能である。
【００５６】
左右の光軸調整に関しては、前述したように上下と左右（内目外目）方向の調整が、偏芯コロ４７Ａ，４７Ｂの２つのコロの回転で実現でき、しかも調整は図から明らかなように何ら光軸を横切ることなく下面方向から作業が可能である。また、必要であれば、下カバー５１を取りつけたまま、下カバー５１の所定の位置に設けた工具穴からの調整作業も可能となる。
【００５７】
なお、防振ユニット６１については、例えば特開平６−４３３６５号公報にて提案されているような、光学機器の振れ量を検出する振れセンサと、この振れセンサからの出力信号に基づいて、対物レンズ１Ｌ、１Ｒによって形成される物体像の振れを抑制するように内部に液体を封入した可変頂角プリズムを駆動する駆動制御回路とを内蔵するユニットを用いることができる。
【００５８】
また、特開平６−２５００９９号公報にて提案されているような、対物レンズの光束を透過して偏向する２つの偏角プリズムを厚み方向に配列した補正光学系と、２つの偏角プリズムをこれらの共通軸を中心として互いに反対方向に等角度だけ回転する偏角プリズム回転駆動回路と、振れセンサや駆動制御回路等を内蔵するユニットを用いることも可能である。
【００５９】
（第２実施形態）
図５および図６には、本発明の第２実施形態である双眼振の構成を示している。この双眼鏡では、左右一対の対物レンズがそれぞれ２つの群で構成され、それぞれの後群をそれぞれの回転軸を持ちながら手ぶれ補正のために連動させて光軸直交方向にシフト駆動させる方式の防振ユニットを搭載している。また、本実施形態の双眼鏡は、対物レンズの前群は左右が一体的に保持されている。
【００６０】
なお、本実施形態において基体１１０に保持される接眼ユニット、接眼ユニットの保持と目幅関係、調整機構部の構成と機能、焦点調節機構部などは、第１実施形態と同様であるため、これらについての詳細説明は省略する。
【００６１】
図５は、本実施形態の双眼鏡を左右の光軸を含む平面で切断した場合の断面を、図６は上記双眼鏡を中央の平面で切断した場合の垂直断面をそれぞれ示している。なお、本実施形態では、双眼鏡本体を覆う外装部材については図示していない。
【００６２】
上記双眼鏡の光学系の概略構成について説明する。双眼鏡の光学系は、左右一対の対物レンズ１０１Ｌ，１０１Ｒと、左右一対のポロＩＩ型正立プリズム１０２Ｌ，１０２Ｒと、左右一対の接眼レンズ１０３Ｌ，１０３Ｒとから構成されている。対物レンズ１０１Ｌおよび正立プリズム１０２Ｌと接眼レンズ１０３Ｌにより左側の望遠光学系が構成され、対物レンズ１０１Ｒおよび正立プリズム１０２Ｌと接眼レンズ１０３Ｒにより右側の望遠光学系が構成されている。
【００６３】
また、接眼ユニット１１２Ｒ，１１２Ｌは、正立プリズム１０２Ｌ、１０２Ｒと接眼レンズ１０３Ｌ、１０３Ｒのそれぞれの光学系が一体的に保持されて構成されているとともに、それぞれに眼当接眼ゴムおよび連動板１３５Ｌ，１３５Ｒなどが一体的に取り付けられている。さらに、接眼ユニット１１２Ｒ，１１２Ｌは、基体１１０の保持部１１３により、第１実施形態と同様に目幅調整のために連動回転可能に保持されている。
【００６４】
対物レンズ１０１Ｌ，１０１Ｒは互いに平行な光軸０３Ｌ，０３Ｒを有する。対物レンズ１０１Ｌ，１０１Ｒに入射した光束はそれぞれ、接眼ユニット１１２Ｒ、１１２Ｌに入射して拡大像を両眼視可能となる。
【００６５】
対物レンズ１０１Ｌ，１０１Ｒは、それぞれ前群１０１ＬＡ，１０１ＲＡと後群１０１ＬＢ，１０１ＲＢとからなり、観察時の像振れ補正は、後群（振れ補正レンズ）１０１ＬＢ，１０１ＲＢを双眼鏡の観察時のヨー方向およびピッチ方向に回動させることで行う。
【００６６】
次に、対物レンズ部の構成についてさらに詳しく説明する。まず、１０４は光軸０３Ｌ，０３Ｒと直交してヨー方向に延びるピッチ回動支軸であり、光軸０３Ｌ，０３Ｒに直交する第１の平面（図５のＨ１）内にある。
【００６７】
１０５Ｌ，１０５Ｒは、光軸１Ｌ，１Ｒと直交してピッチ方向に延びる左右のヨー回動支軸であり、前述した第１の平面Ｈ１内にある。すなわち、ピッチ回動支軸１０４とヨー回動支軸１０５Ｌ，１０５Ｒはいずれも上記第１の平面Ｈ１内にある。
【００６８】
１０６Ｌ，１０６Ｒは、ヨー回動支軸１０５Ｌ，１０５Ｒと平行に延びる左右の連結回動支軸であり、上記第１の平面Ｈ１と平行な、すなわち光軸０３Ｌ，０３Ｒと直交し第１の平面Ｈ１から光軸０３Ｌ，０３Ｒ方向前方に離れた第２の平面Ｈ２内にある。
【００６９】
１０７Ｌ，１０７Ｒは、対物レンズ１０１Ｌ，１０１Ｒの前群１０１ＬＡ，１０１ＲＡをそれぞれ保持する左右一対の対物固定筒である。これら対物固定筒１０７Ｌ，１０７Ｒは、光軸０３Ｌ，０３Ｒが平行で、かつ所定の間隔になるように、後述するＩＳ本体１０９にビス等を用いて固定されている。
【００７０】
１０８Ｌ，１０８Ｒは、対物レンズ１０１Ｌ，１０１Ｒの後群１０１ＬＢ、１０１ＲＢをそれぞれ保持する左右一対のヨー保持枠である（本実施形態では、対物レンズ後群１０１ＬＢ、１０１ＲＢをそれぞれかしめ保持する）。これらヨー保持枠１０８Ｌ，１０８Ｒにはヨー回動支軸１０５Ｌ，１０５Ｒが一体的に取り付けられている。
【００７１】
また、ヨー保持枠１０８Ｌの上部であってヨー回動支軸１０５Ｌの後側には、後述する不図示のヨー方向検出器１２６を構成する不図示の永久磁石１２６ａが接着剤等で固定されている。
【００７２】
また、ヨー保持枠１０８Ｌ，１０８Ｒの前側上下には、連結支軸１０６Ｌ，１０６Ｒがそれぞれ一体的に取り付けられている。
【００７３】
１０９はピッチ回動支軸１０４が回動可能に嵌合保持される嵌合穴部が形成されたＩＳ本体である。このＩＳ本体１０９は、対物レンズ１０１Ｌ，１０１Ｒ側に大きく開口するように形成され、また接眼ユニット１１２Ｌ，１１２Ｒ側にはヨー保持枠１０８Ｌ，１０８Ｒの後部が通る孔部が形成されている。さらに、後側端面には、後述する駆動制御基板１２９を取り付けるための取り付け座１０９ａが４ヶ所設けられている。
【００７４】
このＩＳ本体１０９の中央部には、後述するピッチ方向駆動機構１２５を構成する永久磁石１２５ａとヨーク１２５ｂとを支持するための支持部１０９ｅが設けられている。また、ＩＳ本体１０９の中央部の右側には、後述するピッチ方向検出器１２４を構成するホール素子１２４ｂが接着剤等で固定されている。
【００７５】
ＩＳ本体１０９の上部中央には、後述するフォーカス連動板１３８に対して位置決めを行うための不図示の位置決めピン２本と、フォーカス連動板１３８を取り付けるための４箇所不図示の取り付け座とが設けられている。また、ＩＳ本体１０９の上部前側には、後述するＩＳロック部材１２８を支持するための支持部１０９ｌが設けられている。
【００７６】
１２０はピッチ保持枠であり、ピッチ回動支軸１０４が一体的に取り付けられている。前述したように、ピッチ回動支軸１０４はＩＳ本体１０９によりピッチ方向に所定角度回転可能に保持されている。これにより、ピッチ保持枠１２０はＩＳ本体１０９に対してピッチ方向に所定角度回転可能となっている。
【００７７】
また、ピッチ保持枠１２０には、ＩＳ本体１０９と同様にヨー保持枠１０８Ｌ，１０８Ｒの略中央部までが通る様に孔部が左右に形成されている。そして、ピッチ保持枠１２０は、ヨー回動支軸１０５Ｌ，１０５Ｒを所定角度ヨー方向に回動可能に保持している。これにより、後群１０１ＬＢ，１０１ＲＢを保持するヨー保持枠１０８Ｌ，１０８Ｒは、ピッチ保持枠１２０およびＩＳ本体１０９に対して所定角度ヨー方向に回動可能となっている。
【００７８】
また、ピッチ保持枠１２０の中央部には、ピッチ方向検出器１２４を構成する永久磁石１２４ａが接着剤等により固定されている。
【００７９】
さらに、ピッチ保持枠１２０には、コイル支持部材１２１が取り付けられており、このコイル支持部材１２１には、後述するピッチ方向駆動機構１２５を構成するコイル１２５ｃが固着されている。
【００８０】
１２２は連結支軸１０６Ｌ，１０６Ｒに回動可能に取り付けられ、ヨー保持枠１０８Ｌ，１０８Ｒに保持された後群１０１ＬＢ，１０１ＲＢの光軸が前群１０１ＬＡ，１１１ＲＡの光軸と一致するようにヨー保持枠１０８Ｌ、１０８Ｒを保持するヨーブリッジである。
【００８１】
このヨーブリッジ１２２には、ＩＳ本体１０９およびピッチ保持枠１２０と同様にヨー保持枠１０８Ｌ，１０８Ｒが通る孔部が左右に形成されている。
【００８２】
また、ヨーブリッジ１２２は、ヨー保持枠１０８Ｌ，１０８Ｒがヨー回動支軸１０５Ｌ，１０５Ｒ回りで回動したときに、後群１０１ＬＢ，１０１ＲＢの光軸と略直交する方向にのみ移動可能であり、ヨー保持枠１０８Ｌ，１０８Ｒとピッチ保持枠１２０とでいわゆる平行リンク機構を形成している。このため、後群１０１ＬＢ，１０１ＲＢの光軸は常に平行関係に維持される。
【００８３】
さらに、ヨーブリッジ１２２の略中央部には、後述するヨー方向駆動機構１２７を構成する駆動コイル１２７ｃが固着されている。
【００８４】
１２８はヨーブリッジ１２２を一時的に所定の位置に固定するＩＳロック部材である。このＩＳロック部材１２８によってヨーブリッジ１２２を所定の位置に固定することにより、後群１０１ＬＢ，１０１ＲＢの光軸を前群１０１ＬＡ，１０１ＲＡの光軸と一致させることができる。
【００８５】
１３０はＩＳロックスイッチであり、観察者が本双眼鏡を使用する時に、このＩＳロックスイッチ１３０が操作されて、ＩＳロック部材１２８に設けられた突起部１２８ａが押し下げられ、ヨーブリッジ１２２の固定が解除される。すなわち、ヨー保持枠１０８Ｌ，１０８Ｒに保持された後群１０１ＬＢ，１０１ＲＢはヨー方向およびピッチ方向に回動することができるようになる。
【００８６】
１２３は後述するヨー方向駆動機構１２７を構成する永久磁石１２７ａとヨーク１２７ｂを支持するヨーク支持部材であり、ＩＳ本体１０９にビス等を用いて固定されている。
【００８７】
１２４はピッチ保持枠１２０の回動位置（角度）を検出するピッチ方向検出器であり、永久磁石１２４ａとホール素子１２４ｂとから構成されている。
【００８８】
１２５はピッチ保持枠１２０をピッチ回動支軸１０４回りに回転駆動するピッチ方向駆動機構であり、永久磁石１２５ａ、ヨーク１２５ｂおよびコイル１２５ｃから構成されている。また、本実施形態では、コイル１２５ｃおよびコイル支持部材１２１をピッチ回動支軸１０４に対して後群１０１ＬＢ，１０１ＲＢの反対側に設け、後群１０１ＬＢ，１０１ＲＢとの重量バランスをとるようにしている。
【００８９】
１２６はヨー保持枠１０８Ｌの回転位置（角度）を検出する不図示のヨー方向検出器であり、不図示の永久磁石１２６ａと不図示のホール素子１２６ｂとから構成されている。
【００９０】
１２７はヨーブリッジ１２２を駆動するヨー方向駆動機構であり、永久磁石１２７ａ、ヨーク１２７ｂおよびコイル１２７ｃから構成されている。
【００９１】
次に、上記振れ補正装置の制御を行う電気的構成について説明する。この振れ補正装置は、観察時における双眼鏡の振れ量を検出する振れ検出器と、この振れ検出器からの出力信号に基づいて、対物レンズによって形成される焦点像の移動を抑制して観察像の振れを少なくするように、振れ補正光学系としての後群１０１ＬＢ，１０１ＲＢを駆動制御する駆動制御回路とを有している。なお、振れ検出器は、ピッチ方向の振れを検出するピッチ方向振れセンサとヨー方向の振れを検出するヨー方向振れセンサとから構成される。
【００９２】
１２９は上記振れ検出器やその他の制御回路、駆動回路を有する駆動制御基板である。この駆動制御基板１２９に実装されている制御回路は、振れ検出器の検出信号にもとづいて双眼鏡の振れによる像振れを打ち消す方向にピッチ方向駆動機構１２５とヨー方向駆動機構１２７とを駆動制御する。
【００９３】
双眼鏡の使用者が、振れ補正機能を使用する際には、ＩＳロックスイッチ１３０を押し下げる。これにより、ＩＳロック部材１２８に設けられた突起部１２８ａが押し下がるとともに、不図示の電気的なＯＮ、ＯＦＦ信号を出力するスイッチが作動する。さらに観察者がＩＳロックスイッチ１３０を押し下げると、ＩＳロック部材１２８は、ヨーブリッジ１２２の固定を解除する。すなわち、ヨー保持枠１０８Ｌ，１０８Ｒはピッチ方向およびヨー方向に回動可能となり、後群１０１ＬＢ，１０１ＲＢがピッチ方向およびヨー方向に回動可能となる。
【００９４】
このとき、観察者の手振れにより双眼鏡に振れが生じたときは、振れ検出器の検出信号に基づいてピッチ方向駆動機構１２５又はヨー方向駆動機構１２７を構成するコイル１２５ｃ，１２７ｃに駆動制御基板１２９から制御電圧が印加される。ここで、コイル１２５ｃ，１２７ｃに印加される制御電圧は、後群１０１ＬＢ，１０１ＲＢを双眼鏡の振れによる像振れを打ち消すことができる方向に打ち消すことができる角度分回動させるために必要な電圧として決定されたものである。
【００９５】
そしてこれにより、コイル１２５ｃ又はコイル１２７ｃにフレミングの法則に基づく駆動力（励磁力）が発生し、コイル１２５ｃ又はコイル１２７ｃを保持するピッチ保持枠１２０又はヨーブリッジ１２２がヨー方向又はピッチ方向に移動することになる。こうしてヨー保持枠１０８Ｌ，１０８Ｒに保持された後群１０１ＬＢ，１０１ＲＢがヨー方向およびピッチ方向に回動し、観察者は振れのない左右像を観察することができる。
【００９６】
なお、図６に示すように、ヨーブリッジ１２２の中央右にはＩＳロック部材１２８を係止する係止部が設けられており、この係止部にＩＳロック部材１２８を係止させることでヨーブリッジ１２２の移動を阻止することができる。つまり、観察者が像振れ補正を必要としないときには、ＩＳロックスイッチ１３０を押し下げないことにより、像振れ補正動作を行わないようにすることができる。
【００９７】
このように、本実施形態の双眼鏡では、観察者の手ぶれにかかわらず観察像のぶれを補正する機構と光学系が搭載されているが、本実施形態の双眼鏡においては上述した防振機構を搭載しているため、対物レンズ１０１Ｌ，１０１Ｒの一対の光軸０３Ｌ，０３Ｒを希望の位置に微小変更調整することが容易でない。すなわち、双眼鏡の左右の観察像を一致させるための光軸合わせをするためには、前述した対物レンズ１０１Ｌ，１０１Ｒを前群と後群のペアで微小移動させる必要があるからである。
【００９８】
ところが、対物レンズ１０１Ｌ，１０１Ｒは、それぞれ前群１０１ＬＡ，１０１ＲＡと後群１０１ＬＢ，１０１ＲＢとからなり、それぞれのレンズ群は別の機構に保持されており同時に同方向へ同量微小移動させることが極めて困難である。
【００９９】
この対処法として簡易的には、例えば、前記対物レンズ１０１Ｌ，１０１Ｒの前群１０１ＬＡ，１０１ＲＡはこれを保持する左右一対の対物固定筒１０７Ｌ，１０７ＲがＩＳ本体１０９にビス等を用いて固定されているため、比較的容易に光軸調整移動が可能であるが、対物レンズを構成する前群と後群の関係が調整移動することによって崩れてしまうために対物レンズ自体の光学性能が低下してしまう、という問題が発生する。或いは、前記対物レンズ１０１Ｌ，１０１Ｒの後群１０１ＬＢ，１０１ＲＢを調整移動する場合には、光学性能が低下してしまう前記前群と同様の問題に加え、今度は調整機構の複雑化を発生させてしまう、という問題が発生してしまう。
【０１００】
そこで、本実施形態では、観察像の左右の光軸合わせは対物レンズ部で行うのではなく、第１実施形態で示したように、接眼ユニット１１２Ｌ，１１２Ｒの一方を他方に対して微小に傾ける光軸調整機構を採用し、対物レンズの光学性能の低下を発生させることなく、左右の光軸調整を容易に行えるようにしている。
【０１０１】
（第３実施形態）
図７および図８には、本発明の第３実施形態である双眼鏡の構成を示している。
【０１０２】
本実施形態では、第１および第２実施形態の双眼鏡に採用した光軸調整機構に代えて、丈夫な金属板で作られた基体１０の光軸に垂直な保持部１３の下端部に曲げ部を形成しないものを用いている。なお、本実施形態では、第１および第２実施形態と異なる光軸調整機構のみを説明する。
【０１０３】
図７は、第１実施形態の基体１０の光軸に垂直な保持部１３に相当する保持部２１３の要部を後ろ側（接眼ユニット側）から見た図である。また、図８は、図７に対応して、光軸調整機構を下から見た図である。
【０１０４】
保持部２１３には、中央の下端部から上方所定位置までの切り込み２４２が形成されることで、不図示の左右一対の接眼ユニットを取り付ける左右の保持部分２４３Ｌ，２４３Ｒが設けられている。
【０１０５】
調整板２４４は、図７、図８に示すように、保持部２１３の下端部付近に、中央の切り込み２４２をまたいで調整ビス２４５Ａ，２４５Ｂと固定ビス２４５Ｃ、２４５Ｄの４本で固定されている。
【０１０６】
但し、これら４本のビスにより調整板２４４を保持部２１３の下端部付近に取り付ける際には調整の基準状態を作り出すために、あらかじめ調整スペーサ２４７Ａ，２４７Ｂと基準スペーサ２４７Ｃ，２４７Ｄの４個のスペーサを保持部２１３と調整板２４４の間にそれぞれ挟持させておくものとする。
【０１０７】
次に、上記構成における左右の光軸調整方法について説明する。また、本実施形態では、調整時の基準状態を仮に左保持部分２４３Ｌとして説明するが、特に問題がなければ右保持部分２４３Ｒ側でもかまわない。
【０１０８】
さて、双眼鏡の組み立て後などに左右の光軸が上記初期調整状態で、ぴったり合致していれば調整スペーサ２４７Ａ，２４７Ｂを変更せずこのままでよいが、左右の光軸間に上下方向のずれがある場合には、調整スペーサ２４７Ａ，２４７Ｂを必要に応じて同時に増減させることで上下方向の光軸調整が可能となる。
【０１０９】
すなわち、調整スペーサ２４７Ａ，２４７Ｂの厚みを減少するか無くした場合を考えると、右保持部分２４３Ｒは調整板２４４に近づく方向に移動するので後に引っ張られ、右保持部分２４３Ｒよりも相対的に対物レンズ側から遠ざかるように微小移動する。
【０１１０】
これにより、右保持部分２４３Ｒに保持されている不図示の右接眼ユニットは左接眼ユニットに対して見口の部分が上方に移動するために、右の観察系が左の観察系に対して逆に下方を観察するようになる。
【０１１１】
また、調整スペーサ２４７Ａ，２４７Ｂを基準よりも厚くなるように増加させた場合は、右保持部分２４３Ｒは調整板２４４から遠ざかるように前に押され、左保持部分２４３Ｌよりも相対的に対物レンズ側に近づくように微小移動する。
【０１１２】
これにより、右保持面２４３Ｒに保持されている不図示の右接眼ユニットは左接眼ユニットに対して見口の部分が下方に移動するために、右の観察系は左の観察系に対して逆に上方を観察するようになる。このように、上下方向の光軸調整は調整スペーサ２４７Ａと２４７Ｂの厚みを同時に増減させることで実現できる。
【０１１３】
次に、左右の光軸間に左右方向のずれがある場合の調整方法について説明する。今、調整スペーサ２４７Ａを厚く、調整スペーサ２４７Ｂを薄くした場合を考えると、右保持面２４３Ｒの外側は調整板２４４から遠ざかる方向に前に押されるが、右保持面２４３Ｒの内側は調整板２４４に近づくように引っ張られる。
【０１１４】
これにより、右保持面２４３Ｒは図８において、右回り（時計回り）に微小回転し、右保持部分２４３Ｒに保持されている不図示の右接眼ユニットは左接眼ユニットに対して見口の部分が外方に移動するために、右の観察系は左の観察系に対して逆に内側を観察するようになる。
【０１１５】
一方、調整スペーサ２４７Ａを薄く、調整スペーサ２４７Ｂを厚くした場合は逆に、右の観察系は左の観察系に対して外側を観察するようになる。このように、左右方向の光軸調整は調整スペーサ２４７Ａ、２４７Ｂの厚みを同時に逆の関係で変化させることで実現できる。
【０１１６】
第１実施形態又は第３実施形態のように、左右の接眼ユニットの一方の基準接眼ユニットに対して、相対的に微小に傾ける調整機構を構成すれば、結果的に双眼鏡の左右の光軸調整を実現することが可能となる。
【０１１７】
また、第３実施形態に示したように、右保持部分２４３Ｒの外側（調整スペーサ２４７Ａに対応）と内側（調整スペーサ２４７Ｂに対応）の２つの場所を独立に前後移動させることができるようにすれば、調整スペーサ２４７Ａ、２４７Ｂを使わない他の方法も考えられる。
【０１１８】
例えば、古くから光学機器の光軸調整に用いられている「押し引きねじ」による調整などもこの部分に応用すれば、接眼ユニットを他方の接眼ユニットに対して微小に傾けることによる左右の光軸調整を容易に行うことができる。
【０１１９】
さらに、第１および第２実施形態では、調整作業は、対物レンズの光軸に対して直角方向から行うことができ、第３実施形態にて説明した調整作業も接眼ユニット側から行うことができる。そしていずれの場合も、接眼レンズの光軸から十分に離れた場所で調整作業が行えるので、従来に比べて調整作業を容易に行うことができる。
【０１２０】
なお、本発明は、上記各実施形態にて説明した双眼鏡以外の双眼鏡、特に左右一対の対物光学系の全群同士或いは一部の群同士が一体的に保持されていたり、双眼鏡使用時に対物光学系の全群同士或いは一部の群同士が間隔を変えずに連動するように保持されていたりする双眼鏡に適用することができる。
【０１２１】
【発明の効果】
以上説明したように、本発明によれば、一方（第１）の接眼ユニットの他方（第２）の接眼ユニットに対する光軸を傾き移動させる構成としているので、対物光学系側に付加機能追加のための機構の配置に支障が生じたり、目幅調整機構を損なったりすることなく、第１および第２の接眼ユニットの光軸調整を容易に行うことができる。
【図面の簡単な説明】
【図１】本発明の第１実施形態である双眼鏡の平面断面図である。
【図２】上記第１実施形態の双眼鏡の側面断面図である。
【図３】図２のＡ−Ａ断面部の正面図と下面図である。
【図４】上記第１実施形態の双眼鏡の調整機構の要部拡大図である。
【図５】本発明の第２実施形態である双眼鏡の平面断面図である
【図６】上記第２実施形態の双眼鏡の側面断面図である。
【図７】本発明の第３実施形態である双眼鏡の調整機構の後面図である。
【図８】上記第３実施形態の調整機構の下面図である。
【符号の説明】
１Ｌ、１Ｒ：対物レンズ
２Ｌ、２Ｒ：正立プリズム
３Ｌ、３Ｒ：接眼レンズ
１０：基体
１２Ｌ、１２Ｒ：接眼ユニット
１７：フォーカスネジ
１９：対物台
３５Ｌ、３５Ｒ：連動板
４０Ｌ、４０Ｒ：対物鏡筒
４２：中央部の切り込み
４３Ｌ、４３Ｒ：曲げ部
４４：調整板
ビス４５Ｃ、４５Ｄ：固定用のビス
４６Ａ、４６Ｂ：長円穴
４７Ｌ、４７Ｒ：偏芯コロ
６１：防振ユニット
６２：電気回路基板
６３：バッテリ
１０１Ｌ，１０１Ｒ：対物レンズ
１０１ＬＡ，１０１ＲＡ：前群
１０１ＬＢ，１０１ＲＢ：後群
１１２Ｒ、１１２Ｌ：接眼ユニット
１０４：ピッチ回動支軸
Ｈ１：第１の平面
１０５Ｌ，１０５Ｒ：ヨー回動支軸
１０６Ｌ，１０６Ｒ：連結回動支軸
１０７Ｌ，１０７Ｒ：対物固定筒
１０８Ｌ，１０８Ｒ：ヨー保持枠
１０９：ＩＳ本体
１２０：ピッチ保持枠
１２２：ヨーブリッジ
１２４：ピッチ方向検出器
１２５：ピッチ方向駆動機構
１２７：ヨー方向駆動機構
１２８：ＩＳロック部材
１２９：駆動制御基板
１３０：ＩＳロックスイッチ
２４３Ｌ，２４３Ｒ：左右の保持面
２４４：調整板
２４５Ａ，２４５Ｂ：調整ビス
２４５Ｃ、２４５Ｄ：固定ビス
２４７Ａ，２４７Ｂ：調整スペーサ
２４５Ｃ，２４５Ｄ：基準スペーサ
【図１】
0003825999.tif 000002
【図２】
0003825999.tif 000003
【図３】
0003825999.tif 000004
0003825999.tif 000005
【図４】
0003825999.tif 000006
【図５】
0003825999.tif 000007
【図６】
0003825999.tif 000008
【図７】
0003825999.tif 000009
【図８】
0003825999.tif 000010